(57)【特許請求の範囲】
【請求項１】
刈刃（１０）と、該刈刃（１０）を駆動する原動機（３１）と、前記刈刃（１０）の一部又は全部を覆うシールドカバー（１１）と、ハンドル（５０）と、地面を滑走可能な接地部材（２１、２１）と、を備えた携帯型畔用草刈機であって、
機体（１）に、前記ハンドル（５０）の先端部（５３ａ）付近が上下方向に揺動自在に支持されるとともに、該先端部（５３ａ）を前方側（Ｆ）に引っ張る付勢手段（６０）が配備されていることを特徴とする携帯型畔用草刈機。
【請求項２】
前記機体（１）の前後方向で見た重心（Ｇ）付近に、前記ハンドル（５０）の揺動支軸（５５）が配在されていることを特徴とする請求項１に記載の携帯型畔用草刈機。
【請求項３】
前記付勢手段は、前記ハンドル（５０）における前記揺動支軸（５５）より前方側（Ｆ）に設けられた後端係止部（６１）と、前記機体（１）における前記重心（Ｇ）より前方側（Ｆ）に設けられた前端係止部（６２）と、の間に介装された引張コイルばね（６０）であることを特徴とする請求項１又は２に記載の携帯型畔用草刈機。
【請求項４】
前記ハンドル（５０）の前端側は二股状となっており、その二股状前端部（５３）の左右先端部（５３ａ、５３ａ）付近が、前記シールドカバー（１１）の左右両側部（１１Ｌ、１１Ｒ）に上下方向に揺動自在に支持されていることを特徴とする請求項１乃至３に記載の携帯型畔用草刈機。
【請求項５】
前記ハンドル（５０）を下方に揺動させたときには、前記付勢手段（６０）の付勢力により、前記接地部材（２１、２１）の前方側（Ｆ）部分が地面（Ｎ、Ｍ）から浮き上がる方向のモーメントが生じ、前記ハンドル（５０）を上方に揺動させたときには、前記付勢部材（６０）の付勢力により、前記接地部材（２１、２１）の後方側（Ｒ）部分が地面（Ｎ、Ｍ）から浮き上がる方向のモーメントが生じるようにされていることを特徴とする請求項１乃至４のいずれか一項に記載の携帯型畔用草刈機。
【請求項６】
前記後端係止部（６１）又は前記前端係止部（６２）の上下方向の配設位置を任意に変えることができるようにされていることを特徴とする請求項３乃至５のいずれか一項に記載の携帯型畔用草刈機。
【請求項７】
前記接地部材は、左右一対のそり状部材（２１、２１）からなっていることを特徴とする請求項１乃至６のいずれか一項に記載の携帯型畔用草刈機。
【請求項８】
前記シールドカバー（１１）及び前記接地部材（２１、２１）を備えた草刈作業部（５）に、地面（Ｍ、Ｎ）を転動可能に車輪（７０、７０）が設けられていることを特徴とする請求項１乃至７のいずれか一項に記載の携帯型畔用草刈機。
【請求項９】
前記車輪（７０、７０）は、前記草刈作業部（５）の前方側（Ｆ）の端部（１１ａ）付近に設けられていることを特徴とする請求項８に記載の携帯型畔用草刈機。
【発明の詳細な説明】
【０００１】
【発明の属する技術分野】
本発明は、作業者が手で容易に移動させることができる、比較的小型軽量の携帯型畔用草刈機に係り、特に、高畔の法面に生えている草を刈り取るのに好適な携帯型畔用草刈機に関する。
【０００２】
【従来の技術】
従来、畔用草刈機としては、例えば、特公昭６２−６１２９０号公報等にも見られるように、原動機が搭載された車輪付きの機体と、畔の上面（平面）に生えている草を刈り取るためのメイン刈刃と、畔の斜面（法面）に生えている草を刈り取るためのサイド刈刃と、を備え、前記原動機の動力を減速機や伝動軸等からなる動力伝達機構を介して前記メイン刈刃及びサイド刈刃に伝達して、それらを同時に回転駆動させながら、前記機体を畔の上面を走行させることにより、畔の上面及び法面に生えている草を同時に刈り取るようにしたものが一般的である。
【０００３】
かかる従来の一般的な畔用草刈機においては、機体を畔の上面に位置させて走行させることを前提としており、また、前記サイド刈刃による法面の上下幅が大きく、刈幅は、そのサイド刈刃の回転直径のみに依存しているため、通常の畔（低畔）には対応できても、段差の大きな高畔においては法面の刈幅が不足する。この場合、メイン刈刃とサイド刈刃とを同一平面上に位置させて、機体を高畔の法面に沿って走行させれば、該法面の草刈りを行えないこともないが、高畔の法面は、傾斜がきつく、足場も悪いので、極めて危険である。
【０００４】
また、二つの刈刃を備えていること、原動機を搭載した車輪付きの機体を備えていること、及び、原動機の動力を前記両刈刃に伝達するために比較的長大で複雑な動力伝達機構を必要としていること、等のため、装置構成が複雑で重量も重く、装置コストが高くなるとともに、作業性、操作性も良いとはいえず、高畔の法面の草刈りに使用するのは、実際には無理があった。
【０００５】
そこで、本発明の発明者等は、前記した如くの従来の畔用草刈機に伴う問題を解消すべく、先に、刈刃と、該刈刃が取付固定された回転軸と、該回転軸を回転駆動する原動機と、前記刈刃の一部又は全部を覆うシールドカバーと、該シールドカバーに上下方向に揺動自在に連結された操作棹（ハンドル）と、を備え、前記原動機が前記シールドカバー上に搭載保持されるとともに、前記シールドカバーに地面を滑走可能な接地部材が設けられてなる構成の携帯型畔用草刈機を提案した（特願平１１−３００６３０号参照）。
【０００６】
かかる提案の携帯型畔用草刈機においては、高畔の法面の草刈りを行う際には、通常、作業者がハンドルを持って高畔の上面に立ち、原動機により刈刃を回転駆動しながら、該刈刃やシールドケース等からなる草刈作業部を高畔の最上部に位置させるとともに、接地部材を高畔の法面に着地させ、続いて、前記ハンドルで前記草刈作業部を軽く押せば、前記草刈作業部（接地部材）が法面の最上部から底部に向けて滑走する。このとき、前記回転駆動されている刈刃により、法面の草が縦方向にその回転直径に相当する幅分刈り取られる。
【０００７】
次に、前記のようにして刈り取られた部分の横隣に生えている草を刈り取るべく、前記草刈作業部を一旦法面最上部まで引き上げ、続いて、前記草刈作業部を次に刈り取るべき草が生えている部分（横隣）に移動させて、前記と同様に、前記接地部材を高畔の法面最上部に着地させ、前記操作棹で前記草刈作業部を軽く押して、該草刈作業部（接地部材）を法面の最上部から底部に向けて滑走させ、以下、同様にして、法面に生えている草を縦方向に前記刈刃の回転直径に相当する幅分ずつ刈り取るようにする。
【０００８】
このように、前記提案の携帯型畔用草刈機を使用すれば、作業者は高畔の上面を横移動するだけでよく、法面に降りる必要はないので、高畔法面の草刈り作業を、安全かつ容易に、しかも、迅速に行える。
また、草刈作業部全体の重量を接地部材を介して地面（草刈り面）で受けるようにされているので、作業者の負担が少なくなるとともに、自走式ではないので、作業を必要に応じて任意に休み休み行え、その結果、草刈り作業に要する労力が軽減される。
【０００９】
【発明が解決しようとする課題】
しかしながら、前記提案の携帯型畔用草刈機においても、次のような改善すべき課題があった。
すなわち、前記携帯型畔用草刈機では、接地部材として、好ましくはそり状部材が用いられる。このそり状部材が用いられた携帯型畔用草刈機では、地面（高畔上面及び法面）がさほど荒れていない凹凸が少ない場合には、地面との摩擦抵抗が小さいので、草刈作業部をさほど大きな力を要することなく円滑に滑走させることができるが、地面が大きな凹凸を有する荒地である場合や軟弱地盤である場合等には、接地部材の前端部（前進時）あるいは後端部（後退時）が、地面凹凸部や石等に突き当たったり、草の根元部分等に引っ掛かったり、あるいは、軟弱地盤に沈み込む等して、行き止まってしまう場合がある。
【００１０】
前記携帯型畔用草刈機では、通常、傾斜角度等が異なる種々の法面に対応できるようにするため、前記ハンドル（の前端部）が前記シールドカバーに上下方向に揺動自在に連結されているので、前記接地部材の前後端部が地面凹凸部や石等に突き当たったり、草の根元部分等に引っ掛かったり、あるいは、軟弱地盤に沈み込む等して、行き止まった際、前記ハンドルを介して前記草刈作業部を無理やり押し引きすると、前記草刈作業部が前後方向に裏返すように反転してしまい、その結果、草刈作業が難渋するとともに、故障等が生じやすくなるという問題があった。
【００１１】
また、前記のように行き止まった際には、前記ハンドルを介して前記草刈作業部全体を持ち上げればよいが、前記ハンドルは、通常、その長さが草刈作業を行うべき法面の最大長（約２ｍ程度）に対応した長さが必要とされていること、前記ハンドルに対して前記草刈作業部が上下方向に揺動自在とされていること等から、前記草刈作業部全体を持ち上げるには、相当大きな力が必要とされ、作業者は大きな労力負担を強いられる。
【００１２】
本発明は、前記した如くの問題を解消すべくなされたもので、その目的とするところは、地面（高畔上面及び法面）が大きな凹凸を有する荒地である場合や軟弱地盤である場合等にも、草を安全かつ円滑に刈り取ることができるとともに、作業者の労力負担を効果的に軽減できるようにされた携帯型畔用草刈機を提供することにある。
【００１３】
【課題を解決するための手段】
前記の目的を達成すべく、本発明に係る携帯型畔用草刈機は、基本的には、刈刃と、該刈刃を駆動する原動機と、前記刈刃の一部又は全部を覆うシールドカバーと、ハンドルと、を備えるとともに、地面を滑走可能な接地部材が設けられる。
そして、機体に、前記ハンドルの先端部付近が上下方向に揺動自在に支持されるとともに、該先端部を前方側に引っ張る付勢手段が配備されていることを特徴としている。
【００１４】
本発明の好ましい態様では、前記機体の前後方向で見た重心付近に、前記ハンドルの揺動支軸が配在される。
前記付勢手段は、好ましくは、前記ハンドルにおける前記揺動支軸より前方側に設けられた後端係止部と、前記機体における前記重心より前方側に設けられた前端係止部と、の間に介装された引張コイルばねとされる。
【００１５】
また、他の好ましい態様では、前記ハンドルの前端側は二股状となっており、その二股状前端部の左右先端部付近が、前記シールドカバーの左右両側部に上下方向に揺動自在に支持される。
さらに、別の好ましい態様では、前記ハンドルを下方に揺動させたときには、前記付勢手段の付勢力により、前記接地部材の前方側部分が地面から浮き上がる方向のモーメントが生じ、前記ハンドルを上方に揺動させたときには、前記付勢部材の付勢力により、前記接地部材の後方側部分が地面から浮き上がる方向のモーメントが生じるようにされる。
【００１６】
他の別の好ましい態様では、前記後端係止部又は前記前端係止部の上下方向の配設位置を任意に変えることができるようにされる。
また、接地部材は、好ましくは、左右一対のそり状部材からなり、さらに、好ましくは、前記シールドカバー及び前記接地部材を備えた草刈作業部に、地面を転動可能に車輪が設けられる。この場合、前記車輪を、前記草刈作業部の前方側の端部付近に設けることが好ましい。
【００１７】
このような構成とされた本発明に係る携帯型畔用草刈機の好ましい態様においては、高畔の法面の草刈りを行う際には、前記既提案のもの（特願平１１−３００６３０号）と同様に、作業者がハンドルを持って高畔の上面に立ち、原動機により刈刃を駆動しながら、刃、シールドケース、接地部材等からなる草刈作業部を高畔の最上部に位置させるとともに、前記接地部材を高畔の法面に着地させ、続いて、前記ハンドルで前記草刈作業部を軽く押せば、草刈作業部（接地部材）が、法面の最上部から底部に向けて滑走降下し、前記刈刃により、法面の草が縦方向にその回転直径に相当する幅分刈り取られる。
【００１８】
次に、前記のようにして刈り取られた部分の横隣に生えている草を刈り取るべく、前記草刈作業部を法面を滑らすようにして一旦法面最上部まで引き上げ、続いて、前記草刈作業部を次に刈り取るべき草が生えている部分（横隣）に移動させて、前記と同様に、前記接地部材を高畔の法面最上部に着地させ、前記ハンドルで前記草刈作業部を軽く押して、該草刈作業部（接地部材）を法面の最上部から底部に向けて滑走させ、以下、同様にして、法面に生えている草を縦方向に前記刈刃の刈幅分ずつ刈り取るようにする。
【００１９】
このように、本発明の携帯型畔用草刈機を使用すれば、作業者は高畔の上面を横移動するだけでよく、法面に降りる必要はないので、高畔法面の草刈り作業を安全かつ容易に、しかも、迅速に行える。
前記加え、本発明の携帯型畔用草刈機では、前記機体に、前記ハンドルの先端部付近が上下方向に揺動自在に支持されることに加えて、前記ハンドルの先端部が付勢手段により前方側に引っ張られているので、地面（高畔上面及び法面）が大きな凹凸を有する荒地である場合や軟弱地盤である場合等において、前記ハンドルを上下方向に動かすことを要することなく、前記接地部材が地面の凹凸等にほど良く接地追従し得るともに、前記接地部材の前端部（前進時）あるいは後端部（後退時）が、地面凹凸部や石等に突き当たったり、草の根元部分等に引っ掛かったり、あるいは、軟弱地盤に沈み込む等して、行き止まった際、前記ハンドルを介して前記草刈作業部を強く押し引きしても、前記付勢手段の作用により、前記草刈作業部を前後方向に転倒させるモーメントが抑えられ、結果的に、走破性が向上して、大抵の障害は突破できることになる。
【００２０】
また、前進時（法面下降時）に、石等の障害物によって行き止まった際には、前記ハンドルを下方に揺動させ押し下げることにより、前記付勢手段の付勢力（引っ張り力）が増大して、前記接地部材の前方側（Ｆ）部分が地面（Ｎ、Ｍ）から浮き上がる方向のモーメントが生じ、また、後退時（法面引き上げ時）に、石等の障害物によって行き止まった際にも、前記ハンドルを上方に揺動させ引き上げることにより、前記付勢手段の付勢力（引っ張り力）が増大して、前記接地部材の後方側部分が地面から浮き上がる方向のモーメントが生じるので、石等の障害物によって行き止まった際、従来のように、前記草刈作業部全体を持ち上げることを要せず、前記ハンドルを上下方向に揺動させた状態で前記草刈作業部を押し引きするだけで、石等の障害物を簡単に乗り越えることが可能となる。
【００２１】
さらに、前記草刈作業部の前方側の端部付近に車輪を設けることにより、走破性、走行安定性が一層向上する。
このため、本発明の携帯型畔用草刈機では、地面（高畔上面及び法面）が大きな凹凸を有する荒地である場合や軟弱地盤である場合等にも、草を安全かつ円滑に刈り取ることができるとともに、作業者の労力負担を効果的に軽減できる。
【００２２】
【発明の実施の形態】
以下、本発明の実施の形態を図面を参照しながら説明する。
図１及び図２は、それぞれ本発明に係る携帯型畔用草刈機の一実施形態の要部斜視図及び平面図を示している。図示実施形態の携帯型畔用草刈機１は、短冊状の刈刃１０と、該刈刃１０が取付固定された回転軸４５と、前記刈刃１０を前記回転軸４５を介して回転駆動する原動機としての比較的小型軽量（排気量は約２０ｍＬ）の空冷２サイクルガソリンエンジン３１と、前記刈刃１０を覆う平面視矩形のシールドカバー１１と、該シールドカバー１１の左右両側部１１Ｌ、１１Ｒに上下方向に揺動自在に連結されたハンドル５０（追って詳述）と、を備え、前記シールドカバー１１の前記左右両側部１１Ｌ、１１Ｒに、地面を滑走可能な、左右一対のそり状部材からなる接地部材２１、２１が、前後方向に若干突出した状態で設けられている。
【００２３】
前記シールドカバー１１は、図１に加えて図３を参照すればよくわかるように、前記機体１の前方側Ｆの前端部１１ａが斜め上に傾斜せしめられて、比較的大きく開口せしめられ、その後方側Ｒに位置する後端部１１ｂは、後面開口を上から半分程度閉じるようになっている。
前記エンジン３１は、前記シールドケース１１の上面側中央に保持固定されており、前記エンジン３１の動力は、必要に応じて、図示しない遠心クラッチ等を介して、前記シールドケース１１下方に垂下された前記回転軸４５から前記刈刃１０に伝達されるようになっている。
【００２４】
また、前記ハンドル５０は、図１、図２に加えて図３〜図５を参照すればよくわかるように、二股状前段部５３と、該二股状前段部５３の共通根元部に連結された後段部５１と、からなっており、前記二股状前段部５３の左右先端部５３ａ、５３ａ付近が、前記シールドカバー１１の前記左右両側部１１Ｌ、１１Ｒにおける、前記接地部材２１、２１の前後方向で見た前記機体１の重心Ｇより若干後方側Ｒに配在された揺動支軸５５、５５に、上下方向に揺動自在に支持されている。
【００２５】
前記揺動支軸５５は、図４に前記左側部１１Ｌ側に配在されたものが代表して示されているように、該左側部１１Ｌ（右側部１１Ｒ）に内側から水平に挿入されたボルト類からなっており、前記左側部１１Ｌ（右側部１１Ｒ）を、その頭部５５ａと、外側から螺合せしめられたナット５７及び押圧板５６と、で挟むようにして固定されており、この揺動支軸５５の外方側に、前記二股状前段部５３の先端部５３ａ付近が揺動自在に外嵌されている。前記揺動支軸５５における前記前記二股状前段部５３の前記先端部５３ａ付近の両側には、ワッシャ類５８、５９が外挿され、前記揺動支軸５５の外端近くには、抜け止めピン５４が径方向に挿着されている。
【００２６】
そして、前記ハンドル５０の前記先端部５３ａを前方側Ｆに引っ張るべく、付勢手段としての引張コイルばね６０が、前記両側部１１Ｌ、１１Ｒに添設されている。前記引張コイルばね６０は、その後端部６０ａが、前記ハンドル５０の前記先端部５３ａ（前記揺動支軸５５より前方側Ｆ）に設けられた後端係止部としての係止穴６１に係止されるとともに、その前端部６０ｂが、前記シールドカバー１１の前記両側部１１Ｌ、１１Ｒにおける、前記係止穴６１より前方側Ｆに取り付けられた前端係止部としての係止ピン６２に係止されている。
【００２７】
前記係止ピン６２は、前記左側部１１Ｌ（右側部１１Ｒ）の、前記揺動支軸５５を中心とした円弧上を通るように、その上中下に三箇所形成された透孔８１、８２、８３（図１及び図３参照）のうちのいずれかに（ここでは中央の透孔８２に）内側から水平に挿入されたボルト類からなっており、前記左側部１１Ｌ（右側部１１Ｒ）を、その頭部６２ａと外側から螺合せしめられたナット６４及び押圧板６３とで挟むようにして固定されており、この係止ピン６２の螺子部６２ｂ外方側に前記引張コイルばね６０の前記前端部６０ｂが係止され、前記係止ピン６２の外端近くには抜け止めナット６５が螺合せしめられている。なお、前記係止ピン６２は、前記ナット６４、６５を緩めることにより取り外すこと、つまり、例えば、草刈作業を行うべき法面の傾斜角度や作業者の身長等の合わせて前記機体１の走破性を最適なものとせしめられるように、その上下方向の配設位置を、前記上方の透孔８１、中央の透孔８２、及び下方の透孔８３間で任意に変えることができるようになっている。
【００２８】
そして、本実施形態では、前記一対のそり状部材からなる接地部材２１、２１の前端部付近に、それぞれ、前記接地部材２１、２１が地面を滑走せしめられるとき転動せしめられるように、同一外形のスパイク付き車輪７０、７０が、支軸２０回りに回動可能に配設されている。
このような構成とされた本実施形態の携帯型畔用草刈機１においては、高畔の法面の草刈りを行う際には、図５に示される如くに、前記既提案のもの（特願平１１−３００６３０号）と同様に、作業者が前記ハンドル５０の前記後段部５１を持って高畔の上面Ｍに立ち、前記エンジン３１により前記刈刃１０を駆動しながら、該刈刃１０、前記シールドケース１１、前記接地部材２１、２１等からなる前記草刈作業部５を高畔の最上部に位置させるとともに、前記接地部材２１、２１（及び前記車輪７０、７０）を高畔の法面Ｎに着地させ、続いて、前記ハンドル５０で前記草刈作業部５を前方（畔の下方）側に軽く押せば、該草刈作業部５（前記接地部材２１、２１）が、法面Ｎの最上部から底部に向けて自重の付勢力を受けながら滑走降下し、前記刈刃１０により、法面Ｎの草が縦方向にその回転直径に相当する幅分刈り取られる。
【００２９】
次に、前記のようにして刈り取られた部分の横隣に生えている草を刈り取るべく、前記草刈作業部５を法面を後方側Ｒへ滑らすようにして一旦法面Ｎ最上部まで引き上げ、続いて、前記草刈作業部５を次に刈り取るべき草が生えている部分（横隣）に移動させて、前記と同様に、前記接地部材２１、２１を高畔の法面Ｎ最上部に着地させ、前記ハンドル５０で前記草刈作業部５を軽く押して、該草刈作業部５を法面の最上部から底部に向けて滑走させ、以下、同様にして、法面に生えている草を縦方向に前記刈刃の刈幅分ずつ刈り取るようにする。
【００３０】
このように、本実施形態の携帯型畔用草刈機１を使用すれば、作業者は高畔の上面Ｍを横移動するだけでよく、法面Ｎに降りる必要はないので、高畔法面の草刈り作業を安全かつ容易に、しかも、迅速に行える。
また、草刈作業部５全体の重量を、接地部材２１、２１を介して地面（草刈り面）で受けるようにされていることからも、作業者の負担が少なくなるとともに、自走式ではないので、作業を必要に応じて任意に休み休み行え、その結果、草刈り作業に要する労力が軽減される。
【００３１】
前記に加え、本実施形態の携帯型畔用草刈機１では、前記シールドカバー１１に、前記ハンドル５０の先端部５３ａ付近が上下方向に揺動自在に支持されることに加えて、前記ハンドル５０の先端部５３ａが前記引っ張りコイルばね６０により前方側Ｆに引っ張られているので、地面（高畔上面Ｍ及び法面Ｎ）が大きな凹凸を有する荒地である場合や軟弱地盤である場合等においても、前記ハンドル５０を上下方向に動かすことを要することなく、前記接地部材２１、２１が地面の凹凸等にほど良く接地追従し得るともに、前記接地部材２１、２１の前端部（前進時）あるいは後端部（後退時）が、地面凹凸部や石等に突き当たったり、草の根元部分等に引っ掛かったり、あるいは、軟弱地盤に沈み込む等して、行き止まった際、前記ハンドル５０を介して前記草刈作業部５を強く押し引きしても、前記引張コイルばね６０の作用により、前記草刈作業部５を前後方向に転倒させるモーメントが抑えられ、結果的に、走破性が向上して、大抵の障害は突破できることになる。
【００３２】
また、前進時（法面下降時）に、石等の障害物によって行き止まった際には、図３及び図５において一点鎖線で示される如くに、前記ハンドル５０を下方に揺動させ押し下げることにより、前記引張コイルばね６０の付勢力（引っ張り力）が増大して、前記接地部材２１、２１の前方側Ｆ部分が地面Ｎ、Ｍから浮き上がる方向（図のＰ方向）のモーメントが生じ、また、後退時（法面引き上げ時）に、石等の障害物によって行き止まった際にも、図３及び図５において二点鎖線で示される如くに、前記ハンドル５０を上方に揺動させ引き上げることにより、前記引張コイルばね６０の付勢力（引っ張り力）が増大して、前記接地部材２１、２１の後方側Ｒ部分が地面Ｎ、Ｍから浮き上がる方向（図のＱ方向）のモーメントが生じるので、石等の障害物によって行き止まった際、従来のように、前記草刈作業部５全体を持ち上げることを要せず、前記ハンドル５０を上下方向に揺動させた状態で前記草刈作業部５を押し引きするだけで、石等の障害物を簡単に乗り越えることが可能となる。
【００３３】
さらに、前記草刈作業部５の前端部付近に車輪７０、７０を設けたことにより、走破性、走行安定性が一層向上する。
このため、本実施形態の携帯型畔用草刈機１では、地面（高畔上面Ｍ及び法面Ｎ）が大きな凹凸を有する荒地である場合や軟弱地盤である場合等にも、草を安全かつ円滑に刈り取ることができるとともに、作業者の労力負担を効果的に軽減できる。
以上、本発明の実施形態について詳述したが、本発明は、前記実施形態に限定されるものではなく、特許請求の範囲に記載された発明の精神を逸脱しない範囲で、設計において、種々の変更ができるものである。
【００３４】
【発明の効果】
以上の説明から理解されるように、本発明に係る携帯型畔用草刈機は、高畔の草刈作業部を行うにあたって、作業者は高畔の上面を横移動すればよく、法面に降りる必要はないので、高畔法面の草刈り作業を安全かつ容易に、しかも、迅速に行えるとともに、地面（高畔上面及び法面）が大きな凹凸を有する荒地である場合や軟弱地盤である場合等にも、草を安全かつ円滑に刈り取ることができるとともに、作業者の労力負担を効果的に軽減できる。
【図面の簡単な説明】
【図１】本発明に係る携帯型畔用草刈機の一実施形態の草刈作業部を示す斜視図。
【図２】図１に示される草刈作業部の要部平面図。
【図３】図２に示される草刈作業部の左側面図。
【図４】図２に示される草刈作業部の左側部における、ハンドルの揺動支軸、引っ張りコイルばね、係止ピン等の配設態様を示す部分拡大断面図。
【図５】図１に示される携帯型畔用草刈機を使用しての高畔法面草刈作業状態の説明に供される図。
【符号の説明】
１      携帯型畔用草刈機（機体）
５      草刈作業部
１０    刈刃
１１    シールドカバー
１１ａ  前端部
１１Ｌ  右側部
１１Ｒ  左側部
２１    接地部材
３１    空冷２サイクルガソリンエンジン（原動機）
５０    ハンドル
５３    二股状前段部（二股状前端部）
５３ａ  先端部
５５    揺動支軸
６０    引張コイルばね（付勢手段）
６１    後端係止部
６２    前端係止部
Ｆ      前方側
Ｇ      重心
Ｒ      後方側
Ｍ      地面
Ｎ      地面
【図１】
0003693548.tif 000002
【図２】
0003693548.tif 000003
【図３】
0003693548.tif 000004
【図４】
0003693548.tif 000005
【図５】
0003693548.tif 000006